(57)【要約】【課題】パタークラブに特化した使用感やフィット感を改善したゴルフクラブのパター用グリップを提供する。【解決手段】グリップ本体１の上下壁部１ａ、１ｂが、軟質の外層、硬質の内層とした二層構造として形成され、グリップ本体１の左右壁部１ｃ、１ｄが、硬質の一層構造として形成されている。さらに、グリップ本体１の上下壁部１ａ、１ｂが、軟質の一層構造として形成され、グリップ本体１の左右壁部１ｃ、１ｄが、硬質の一層構造として形成されている。【選択図】図１
2017153556.tif 000002
【特許請求の範囲】
【請求項１】
グリップ本体（１）の上下壁部（１ａ、１ｂ）が、軟質の外層、硬質の内層とした二層構造として形成され、グリップ本体（１）の左右壁部（１ｃ、１ｄ）が、硬質の一層構造として形成されていることを特徴とするゴルフクラブのパター用グリップ。
【請求項２】
グリップ本体（１）の上下壁部（１ａ、１ｂ）が、軟質の一層構造として形成され、グリップ本体（１）の左右壁部（１ｃ、１ｄ）が、硬質の一層構造として形成されていることを特徴とするゴルフクラブのパター用グリップ。
【請求項３】
前記上壁部（１ａ）に窪部（２ａ）が形成され、下壁部（１ｂ）に窪部（２ｂ）が形成されるようにグリップ本体（１）が硬質樹脂で一層構造に成形された後、これら窪部（２ａ、２ｂ）に軟質樹脂が成形されて二層構造に形成されていることを特徴とする請求項１記載のゴルフクラブのパター用グリップ。
【請求項４】
前記軟質樹脂の硬度が、ＪＩＳ硬度３０以上５０未満であり、前記硬質樹脂の硬度が５０以上６５未満であることを特徴とする請求項３記載のゴルフクラブのパター用グリップ。
【発明の詳細な説明】
【技術分野】
【０００１】
この発明は、ゴルフに用いるパタークラブのシャフトに装着されるパター用グリップに関するものである。
【背景技術】
【０００２】
従来のゴルフクラブのグリップとしては、ゴムや合成樹脂からなるものが存在し、装飾性を持たせたり、使用時の滑り止めなどのために、表面に凹凸条の模様を形成したものが存在する（特許文献１）。
【０００３】
さらに、従来のゴルフクラブのグリップとしては、前記凹条内に適宜な色の塗装を施し、いわゆるラインカラーを形成して、装飾性をより良くしたものが存在する（特許文献２）。
【０００４】
また、従来のゴルフクラブのグリップとしては、ゴムや合成樹脂からなり、内層と外層の二層構造としたものが存在する。このようなゴルフクラブのグリップは、内層を硬質のゴム層とし、外層を軟質のゴム層としたり、逆に内層を軟質のゴム層とし、外層を硬質のゴム層としたりして、使用時の滑り止め効果やフィット感を良くしたものが存在する（特許文献３）。
【先行技術文献】
【特許文献】
【０００５】
【特許文献１】特開平４ー１２６１６９号公報
【特許文献２】特開平３ー１１２５７５号公報
【特許文献３】実開昭５９ー８７８５８号公報
【発明の概要】
【発明が解決しようとする課題】
【０００６】
上記従来のゴルフクラブのグリップは、特にフェアウェイで使用されるドライバーやアイアン等のクラブにおいては、使用時の滑り止め効果やフィット感が良くなり、スコアアップにつながる等、好ましいものとなっていた。
【０００７】
しかしながら、上記従来のゴルフクラブのグリップは、特にグリーンで使用されるパタークラブにおいては、フェアウェイクラブよりもさらに微妙なグリップ感覚が要求されるため、使用時の滑り止め効果や単にフィット感が良くなるだけでは、未だ不満足であるという課題を有していた。
【０００８】
そこで、この発明は、上記従来のゴルフクラブのグリップにおける課題を解決するものであり、パタークラブに特化した使用感やフィット感を改善したゴルフクラブのパター用グリップを提供することを目的としてなされたものである。
【課題を解決するための手段】
【０００９】
この発明のゴルフクラブのパター用グリップは、グリップ本体１の上下壁部１ａ、１ｂが、軟質の外層、硬質の内層とした二層構造として形成され、グリップ本体１の左右壁部１ｃ、１ｄが、硬質の一層構造として形成されている。
【００１０】
さらに、この発明のゴルフクラブのパター用グリップは、グリップ本体１の上下壁部１ａ、１ｂが、軟質の一層構造として形成され、グリップ本体１の左右壁部１ｃ、１ｄが、硬質の一層構造として形成されている。
【００１１】
この発明のゴルフクラブのパター用グリップにおいて、前記上壁部１ａに窪部２ａが形成され、下壁部１ｂに窪部２ｂが形成されるようにグリップ本体１が硬質樹脂で一層構造に成形された後、これら窪部２ａ、２ｂに軟質樹脂が成形されて二層構造に形成されている。
【００１２】
さらに、この発明のゴルフクラブのパター用グリップにおいて、前記軟質樹脂の硬度が、ＪＩＳ硬度３０以上５０未満であり、硬質樹脂の硬度が、ＪＩＳ硬度５０以上６５未満であるようにしている。
【発明の効果】
【００１３】
この発明のゴルフクラブのパター用グリップは、以上に述べたような構成としているので、手の指に接触する部分は軟らかい感覚が重点的となり、手の平に接触する部分は硬い感触が重点的となるので、パットの微妙なグリップ感覚に適応するものとなり、スコアアップにつながる等、好ましいものとなる。
【図面の簡単な説明】
【００１４】
【図１】この発明のゴルフクラブのパター用グリップを斜め上方から見た状態を示す斜視図である。
【図２】この発明のゴルフクラブのパター用グリップを斜め下方から見た状態を示す斜視図である。
【図３】図１に示すこの発明のゴルフクラブのパター用グリップの平面図である。
【図４】図１に示すこの発明のゴルフクラブのパター用グリップの側面図である。
【図５】図１に示すこの発明のゴルフクラブのパター用グリップの正面図である。
【図６】図１に示すこの発明のゴルフクラブのパター用グリップの背面図である。
【図７】図３中のＡ−Ａ線によるこの発明のゴルフクラブのパター用グリップの断面図である。
【図８】この発明のゴルフクラブのパター用グリップのグリップ本体の上壁部に形成された窪部を斜め上方から見た状態を示す斜視図である。
【図９】この発明のゴルフクラブのパター用グリップのグリップ本体の下壁部に形成された窪部を斜め下方から見た状態を示す斜視図である。
【発明を実施するための形態】
【００１５】
以下、この発明のゴルフクラブのパター用グリップを実施するための形態を、図面に基づいて詳細に説明する。
【００１６】
この発明のゴルフクラブのパター用グリップは、筒状としたグリップ本体１に上下壁部１ａ、１ｂ、左右壁部１ｃ、１ｄが構成されている。そして、このグリップ本体１の上壁部１ａの壁面を略平面形状、下壁部１ｂの壁面を略曲面形状としており、左右壁部１ｃ、１ｄの壁面を略曲面形状としている。この場合、前記左右壁部１ｃ、１ｄの壁面の湾曲度は、両者同じにしており、前記下壁部１ｂの壁面の湾曲度より小さいものとしている。
【００１７】
さらに、この発明のゴルフクラブのパター用グリップは、グリップ本体１を把持する手に添い易くしたり、馴染み易くするために、図示していないが、上下壁部１ａ、１ｂの壁面や、左右壁部１ｃ、１ｄの壁面に各種の凹凸形状等を形成したものとすることができる。
【００１８】
なお、この発明のゴルフクラブのパター用グリップは、図示したものでは、上壁部１ａの壁面を略平面形状、下壁部１ｂの壁面を略曲面形状、左右壁部１ｃ、１ｄの壁面を略曲面形状としたが、従来からパター用グリップとして採用されている形状であれば、特に限定されることはない。
【００１９】
前記グリップ本体１の上下壁部１ａ、１ｂは、図７に示したように、軟質の外層、硬質の内層とした二層構造として形成されているが、軟質の一層構造として形成されてもよい。そして、前記グリップ本体１の左右壁部１ｃ、１ｄは、硬質の一層構造として形成されている。
【００２０】
すなわち、この発明のゴルフクラブのパター用グリップにおいて、図８、９に示したように、前記上壁部１ａに窪部２ａが形成され、下壁部１ｂに窪部２ｂが形成されるようにグリップ本体１が硬質樹脂で一層構造に成形された後、これら窪部２ａ、２ｂに軟質樹脂が成形されて二層構造に形成されることにより、前記グリップ本体１の上下壁部１ａ、１ｂが軟質の外層、硬質の内層の二層構造として形成されると共に、左右側面１ｃ、１ｄが硬質の一層構造として形成されるようにしている。
【００２１】
さらに、この発明のゴルフクラブのパター用グリップにおいて、前記上壁部１ａに貫通孔（図示せず）が形成され、下壁部１ｂに貫通孔（図示せず）が形成されるようにグリップ本体１が硬質樹脂で一層構造に成形された後、これら貫通孔に軟質樹脂が成形されて一層構造に形成されることにより、前記グリップ本体１の上下壁部１ａ、１ｂが軟質の一層構造として形成されると共に、左右側面１ｃ、１ｄが硬質の一層構造として形成されるようにしている。
【００２２】
なお、この発明のゴルフクラブのパター用グリップにおいて、前記上下壁部１ａ、１ｂ、左右壁部１ｃ、１ｄとは、グリップ本体１を把持したときに少なくとも手に接触する部分の全域であればよく、グリップ本体１の全域でなくてもよい。
【００２３】
前記軟質樹脂の硬度は、ＪＩＳ硬度３０以上５０未満、好ましくはＪＩＳ硬度３５以上４５未満であり、硬質樹脂の硬度は、ＪＩＳ硬度５０以上６５未満、好ましくはＪＩＳ硬度５５以上６０未満であるようにしている。さらに、軟質樹脂との硬質樹脂との硬度差は、両者のＪＩＳ硬度の範囲で１０以上であるのが好ましい。
【００２４】
この発明のゴルフクラブのパター用グリップは、以上に述べたように構成されているので、パタークラブのシャフトに装着して、そのグリップを把持すれば、手の接触感は次のようになる。
【００２５】
すなわち、左右の手の親指はグリップ本体１の上壁部１ａに重点的の接触し、左右の手の他の指はグリップ本体１の下壁部１ｂに重点的に接触し、左右の手の平は左右側面１ｃ、１ｄに重点的に接触する。
【００２６】
したがって、左右の手の指が接触する部分は、軟らかい感覚が重点的となり、手の平に接触する部分は硬い感触が重点的となるので、パットの微妙なグリップ感覚に適応するものとなる。
【００２７】
さらに、この発明のゴルフクラブのパター用グリップにおいて、上下壁部１ａ、１ｂの壁面や、左右壁部１ｃ、１ｄの壁面に各種の凹凸形状等を形成したものでは、グリップ本体１を把持する手がより添い易くなったり、馴染み易くなるので、パットの微妙なグリップ感覚により適応するものとなる。
【００２８】
また、この発明のゴルフクラブのパター用グリップは、軟質の外層、硬質の内層とした二層構造として形成される場合には、従来の内層と外層の二層構造としたグリップと殆ど同様の工程で製造できるので、簡単に製造することができるものとなる。
【符号の説明】
【００２９】
１  グリップ本体
１ａ  上壁部
１ｂ  下壁部
１ｃ  左壁部
１ｄ  右壁部
２ａ  窪部
２ｂ  窪部
【図１】
2017153556.tif 000003
【図２】
2017153556.tif 000004
【図３】
2017153556.tif 000005
【図４】
2017153556.tif 000006
【図５】
2017153556.tif 000007
【図６】
2017153556.tif 000008
【図７】
2017153556.tif 000009
【図８】
2017153556.tif 000010
【図９】
2017153556.tif 000011